(57)【特許請求の範囲】
【請求項１】
撮影レンズと、
上記撮影レンズを有したレンズ鏡筒に設けられた操作部と、
カメラ本体に設けられたレリーズ釦と、
上記撮影レンズによって形成される被写体像を画像データへ変換する撮像部と、
上記画像データから測距エリアに対応するコントラスト値を検知するコントラスト検出部と、
上記レリーズ釦の半押し操作を検出した場合に上記コントラスト値に基づいて上記撮影レンズのピント合わせを行い、上記レリーズ釦の全押し操作を検出した場合に上記画像データから画像ファイルを生成し記録部に記録する制御部と、
を有し、
上記制御部は、上記レリーズ釦の半押し操作中に、上記操作部の操作を検出した場合には、上記測距エリアを分割し、この操作に応じて、ピント合わせを行う分割測距エリアを変更し、上記分割測距エリアの画像データを用いて上記撮影レンズのピント合わせをすることを特徴とするカメラ。
【請求項２】
上記制御部は、上記撮影レンズのピント合わせが終了した後に、上記測距エリアの分割を行うことを特徴とする請求項１に記載のカメラ。
【請求項３】
上記画像データに基づいてライブビュー表示を行う表示部を有し、
上記表示部は、上記測距エリアを拡大して表示することを特徴とする請求項１に記載のカメラ。
【請求項４】
上記表示部は、上記制御部によって分割された上記測距エリアの内選択された測距エリアを表示することを特徴とする請求項１に記載のカメラ。
【請求項５】
上記制御部は、上記操作部の操作方向に応じて、上記測距エリアの選択方向を変更することを特徴とする請求項１に記載のカメラ。
【請求項６】
撮影レンズと、
上記撮影レンズを有したレンズ鏡筒に設けられた操作部と、
カメラ本体に設けられたレリーズ釦と、
上記撮影レンズによって形成される被写体像を画像データへ変換する撮像部と、
上記画像データから測距エリアに対応するコントラスト値を検知するコントラスト検出部と、
上記レリーズ釦の半押し操作を検出した場合に上記コントラスト値に基づいて上記撮影レンズのピント合わせを行い、上記レリーズ釦の全押し操作を検出した場合に上記画像データから画像ファイルを生成し記録部に記録する制御部と、
を有し、
上記制御部は、上記レリーズ釦の半押し操作中に、上記操作部の操作を検出した場合には、上記操作部の一方向への操作に応じて、上記測距エリアを分割し、他方向への操作に応じて、上記測距エリアの分割を元に戻し、この操作に応じて、ピント合わせを行う測距エリアを変更して上記撮影レンズのピント合わせをすることを特徴とするカメラ。
【請求項７】
撮影レンズと、
上記撮影レンズを有したレンズ鏡筒に設けられた操作部と、
カメラ本体に設けられたレリーズ釦と、
上記撮影レンズによって形成される被写体像を画像データへ変換する撮像部と、
上記画像データから測距エリアに対応するコントラスト値を検知するコントラスト検出部と、
上記レリーズ釦の半押し操作を検出した場合に上記コントラスト値に基づいて上記撮影レンズのピント合わせを行い、上記レリーズ釦の全押し操作を検出した場合に上記画像データから画像ファイルを生成し記録部に記録する制御部と、
を有し、
上記制御部は、上記レリーズ釦の半押し操作中に、上記操作部の操作を検出した場合には、上記操作部による操作速度を検出し、上記操作速度がスレッシュ以上の場合には上記測距エリアの分割を行い、上記操作速度が上記スレッシュ以下の場合には上記測距エリアの変更を行い、この操作に応じて、ピント合わせを行う測距エリアを変更して上記撮影レンズのピント合わせをすることを特徴とするカメラ。
【請求項８】
電子ビューファインダを使用可能であり、
上記制御部は、上記電子ビューファインダの使用時に上記操作部の操作に応じて測距エリアの変更を行い、上記電子ビューファインダの不使用時には上記操作部の操作に応じた測距エリアの変更を行わないことを特徴とする請求項１、６、および７のいずれか１項に記載のカメラ。
【請求項９】
静止画撮影と動画撮影が可能であり、
上記制御部は、上記静止画撮影時に上記操作部の操作に応じて測距エリアの変更を行い、上記動画撮影時には上記操作部の操作に応じた測距エリアの変更を行わないことを特徴とする請求項１、６、および７のいずれか１項に記載のカメラ。
【請求項１０】
上記操作部は、上記撮影レンズのピント合わせを行うための操作部材であることを特徴とする請求項１、６、７のいずれか１項に記載のカメラ。
【発明の詳細な説明】
【技術分野】
【０００１】
本発明は、カメラに関し、詳しくは、オートフォーカス（ＡＦ）を備え、このＡＦとレンズ鏡筒に設けられた操作部材とが連携可能なカメラに関する。
【背景技術】
【０００２】
近年のカメラでは、被写体に自動的にピントを合わせるオートフォーカス機能と、撮影者が手動でピントを合わせるマニュアルフォーカス機能を設定により切り換えて撮影すること可能な機種も市販されている。
【０００３】
マニュアルフォーカス機能を有するカメラにおいては、撮影レンズ鏡筒に設けられているフォーカスリングを回動させることにより、撮影レンズのピントを調節するのが一般的である。例えば、特許文献１には、フォーカスリングの回動に応じてピントの調節を行い、その際、フォーカス状態によりフォーカスリングを回動させたときのピントの調節量を異ならせるレンズ合焦装置が開示されている。このレンズ合焦装置では、撮影レンズが合焦位置に近いほど、フォーカスリングの回動量に対する撮影レンズの駆動量が少なく、合焦点付近での合焦操作を容易にしている。
【０００４】
また、オートフォーカス機能を有するカメラにおいては、撮影者は手動でピント合わせ操作を行わなくても、カメラは自動的にピント合わせを行う。このときカメラがシングルターゲットのオートフォーカス機能であれば、その位置の被写体にピントを合わせる。しかし、マルチターゲットのオートフォーカス機能の場合には、複数の測距エリアの中からカメラが適切な被写体を自動的に認識し、そこにピント合わせを行う。しかし、被写界深度を浅くしてボケ味を楽しむような場合には、フォーカスを合わせたターゲットエリア内でも被写体の距離に差異があって、撮影者の意図する被写体にピントが合わない場合がある。
【０００５】
このように、オートフォーカス機能を有するカメラであっても、オートフォーカス後に撮影者が手動でピントを調節したい場合がある。そこで、オートフォーカス機能とマニュアルフォーカス機能を融合したカメラが提案されている。例えば、特許文献２には、オートフォーカス枠内に被写体が多数有る場合には、合焦後に手動操作でピント合わせが行われると、その位置での焦点評価値を最大焦点評価値として取り込んで合焦シーケンス終了状態で待機させるようにしたカメラが開示されている。
【先行技術文献】
【特許文献】
【０００６】
【特許文献１】特開平７−８４１７３号公報
【特許文献２】特開平８−２０６６５号公報
【発明の概要】
【発明が解決しようとする課題】
【０００７】
上述したように、オートフォーカス機能付きのカメラであっても、被写体が多数、存在する場合には、適切に被写体を選択することができない場合があることから、撮影者が手動によってピント合わせを行うようにしたカメラは種々提案されている。しかし、撮影者によっては、手動でピント合わせを行うことが困難な場合もある。また、カメラが適切に被写体を選択できない場合であっても、測距エリアを再設定することにより、オートフォーカスによってピント合わせができれば便利である。
【０００８】
本発明は、このような事情を鑑みてなされたものであり、レンズ鏡筒に設けられた操作部を利用し、撮影者がピントを合わせる被写体を容易に変更することができるカメラを提供することを目的とする。
【課題を解決するための手段】
【０００９】
上記目的を達成するため第１の発明に係わるカメラは、撮影レンズと、上記撮影レンズを有したレンズ鏡筒に設けられた操作部と、カメラ本体に設けられたレリーズ釦と、上記撮影レンズによって形成される被写体像を画像データへ変換する撮像部と、上記画像データから測距エリアに対応するコントラスト値を検知するコントラスト検出部と、上記レリーズ釦の半押し操作を検出した場合に上記コントラスト値に基づいて上記撮影レンズのピント合わせを行い、上記レリーズ釦の全押し操作を検出した場合に上記画像データから画像ファイルを生成し記録部に記録する制御部と、を有し、上記制御部は、上記レリーズ釦の半押し操作中に、上記操作部の操作を検出した場合には、上記測距エリアを分割し、この操作に応じて、ピント合わせを行う分割測距エリアを変更し、上記分割測距エリアの画像データを用いて上記撮影レンズのピント合わせをする。
【００１０】
第２の発明に係わるカメラは、上記第１の発明において、上記制御部は、上記撮影レンズのピント合わせが終了した後に、上記測距エリアの分割を行う。
【００１１】
第３の発明に係わるカメラは、上記第１の発明において、上記画像データに基づいてライブビュー表示を行う表示部を有し、上記表示部は、上記測距エリアを拡大して表示する。
第４の発明に係わるカメラは、上記第１の発明において、上記表示部は、上記制御部によって分割された上記測距エリアの内選択された測距エリアを表示する。
【００１２】
第５の発明に係わるカメラは、上記第１の発明において、上記制御部は、上記操作部の操作方向に応じて、上記測距エリアの選択方向を変更する。
第６の発明に係わるカメラは、撮影レンズと、上記撮影レンズを有したレンズ鏡筒に設けられた操作部と、カメラ本体に設けられたレリーズ釦と、上記撮影レンズによって形成される被写体像を画像データへ変換する撮像部と、上記画像データから測距エリアに対応するコントラスト値を検知するコントラスト検出部と、上記レリーズ釦の半押し操作を検出した場合に上記コントラスト値に基づいて上記撮影レンズのピント合わせを行い、上記レリーズ釦の全押し操作を検出した場合に上記画像データから画像ファイルを生成し記録部に記録する制御部と、を有し、上記制御部は、上記レリーズ釦の半押し操作中に、上記操作部の操作を検出した場合には、上記操作部の一方向への操作に応じて、上記測距エリアを分割し、他方向への操作に応じて、上記測距エリアの分割を元に戻し、この操作に応じて、ピント合わせを行う測距エリアを変更して上記撮影レンズのピント合わせをする。
【００１３】
第７の発明に係わるカメラは、撮影レンズと、上記撮影レンズを有したレンズ鏡筒に設けられた操作部と、カメラ本体に設けられたレリーズ釦と、上記撮影レンズによって形成される被写体像を画像データへ変換する撮像部と、上記画像データから測距エリアに対応するコントラスト値を検知するコントラスト検出部と、上記レリーズ釦の半押し操作を検出した場合に上記コントラスト値に基づいて上記撮影レンズのピント合わせを行い、上記レリーズ釦の全押し操作を検出した場合に上記画像データから画像ファイルを生成し記録部に記録する制御部と、を有し、上記制御部は、上記レリーズ釦の半押し操作中に、上記操作部の操作を検出した場合には、上記操作部による操作速度を検出し、上記操作速度がスレッシュ以上の場合には上記測距エリアの分割を行い、上記操作速度が上記スレッシュ以下の場合には上記測距エリアの変更を行い、この操作に応じて、ピント合わせを行う測距エリアを変更して上記撮影レンズのピント合わせをする。
【００１４】
第８の発明に係わるカメラは、上記第１、６、７のいずれかの発明において、電子ビューファインダを使用可能であり、上記制御部は、上記電子ビューファインダの使用時に上記操作部の操作に応じて測距エリアの変更を行い、上記電子ビューファインダの不使用時には上記操作部の操作に応じた測距エリアの変更を行わない。
【００１５】
第９の発明に係わるカメラは、上記第１、６、７のいずれかの発明において、静止画撮影と動画撮影が可能であり、上記制御部は、上記静止画撮影時に上記操作部の操作に応じて測距エリアの変更を行い、上記動画撮影時には上記操作部の操作に応じた測距エリアの変更を行わない。
第１０の発明に係わるカメラは、上記第１、６、７のいずれかの発明において、上記操作部は、上記撮影レンズのピント合わせを行うための操作部材である。
【発明の効果】
【００１７】
本発明によれば、レンズ鏡筒に設けられた操作部を利用し、撮影者がピントを合わせる被写体を容易に変更することができるカメラを提供することができる。
【図面の簡単な説明】
【００１８】
【図１】本発明の第１実施形態に係わるカメラの主として電気的構成を示すブロック図である。
【図２】本発明の第１実施形態に係わるカメラの外観を示す外観斜視図である。
【図３】本発明の第１実施形態に係わるカメラの使用状態を示す図であり、（ａ）は静止画撮影時を、（ｂ）は動画撮影時の使用状態を示す図である。
【図４】本発明の第１実施形態に係わるカメラにおいて、撮像素子と各撮像素子ブロックでの輝度分布を示す図である。
【図５】本発明の第１実施形態におけるカメラにおいて、オートフォーカスの仕方を説明する図であり、（ａ）は撮影レンズをピント合わせのために移動する様子を示しており、（ｂ）は撮影レンズの位置とコントラスト値の関係を示すグラフである。
【図６】本発明の第１実施形態におけるカメラにおいて、撮像素子のブロックを小さくした時の評価値を比較するグラフであって、（ａ）は撮像素子の元のブロックを示し、（ｂ）は分割した撮像素子のブロックを示し、（ｃ）は撮像素子の元のブロックにおける評価値を示し、（ｄ）は分割した撮像素子のブロックにおける評価値を示す図である。
【図７】本発明の第１実施形態におけるカメラにおいて、元のブロックにおける評価値と、分割したブロックにおける評価値の関係を示すグラフである。
【図８】本発明の第１実施形態におけるカメラにおいて、オートフォーカスの測距エリアの分割と選択の様子を示す図である。
【図９】本発明の第１実施形態におけるカメラにおいて、オートフォーカスの測距エリアの分割の変形例を示す図である。
【図１０】本発明の第１実施形態に係わるカメラのカメラ制御の動作を示すフローチャートである。
【図１１】本発明の第１実施形態に係わるカメラのカメラ制御の動作を示すフローチャートである。
【図１２】本発明の第２実施形態に係わるカメラのカメラ制御の動作を示すフローチャートである。
【図１３】本発明の第２実施形態に係わるカメラのカメラ制御の動作を示すフローチャートである。
【図１４】本発明の第２実施形態に係わるカメラの画像表示の動作を示すフローチャートである。
【図１５】本発明の第２実施形態に係わるカメラのライブビュー表示の動作を示すフローチャートである。
【図１６】本発明の第２実施形態に係わるカメラの測距エリア分割選択の動作を示すフローチャートである。
【図１７】本発明の第２実施形態に係わるカメラの測距エリア分割選択の動作を示すフローチャートである。
【発明を実施するための形態】
【００１９】
以下、図面に従って本発明を適用したカメラを用いて好ましい実施形態について説明する。本発明を適用したカメラ本体１０は、デジタルカメラである。このカメラ本体１０とこれに装着可能な交換レンズ鏡筒２０と電子ビューファインダ３０からなるカメラシステムは、大略、次のような機能を有する。カメラ本体１０の撮像部によって被写体像を画像データに変換し、この変換された画像データに基づいて、被写体像を本体の背面に配置した表示部にライブビュー表示する。通常の静止画の撮影時には、撮影者はライブビュー表示を観察することにより、構図やシャッタチャンスを決定する。また、動画撮影時にはレリーズ釦の操作により撮影を開始し再度の操作により撮影を終了する。また、このカメラ本体１０には、交換レンズ２９と電子ビューファインダ（ＥＶＦ）等の外部機器を取り付け可能である。レリーズ釦の半押し等がなされると、オートフォーカスを行い、このとき交換レンズ鏡筒２０のフォーカシングリングを回動操作することにより、フォーカシングエリアの変更行う。カメラ本体１０のレリーズ釦の全押しがなされると、画像データを記録媒体に記録する。また、記録媒体に記録した撮影画像は、再生モードを選択すると、表示部に再生表示することができる。
【００２０】
図１に示すブロック図を用いて、本発明の第１実施形態に係わるカメラ本体１０とこれに装着可能な外部機器からなるカメラシステムの構成について説明する。このカメラシステムは、カメラ本体１０、交換レンズ鏡筒２０、ＥＶＦ３０から構成される。
【００２１】
カメラ本体１０は、信号処理及び制御部１、撮像部２、記録部４、加速度検出部５、操作判定部６、音声収録部７、表示部８、タッチパネル８ｂ、時計部９、通信部１２、１４等から構成される。撮像部２は、シャッタ等の露出制御部、撮像素子、撮像素子の駆動、及び読出回路等を含み、交換レンズ鏡筒２０内の撮影レンズ２１によって形成された被写体像を撮像素子によって画像データに変換し、これを出力する。なお、本明細書においては、画像データは、撮像素子から出力される画像信号に限らず、信号処理及び制御部１によって処理された画像データ、および記録部４に記録されている画像データ等についても使用する。
【００２２】
信号処理及び制御部１は、ＣＰＵ（Central Processing Unit：中央処理装置）およびその周辺のハードウエア回路によって構成され、不図示の記憶部に記憶されているプログラムに従ってカメラ本体１０の全体のシーケンスを制御する。信号処理及び制御部１は、コントラスト検出部１ｂ、読出制御部１ｃ、レンズ制御部１ｄを含む。
【００２３】
コントラスト検出部１ｂは、撮像部２から出力される画像データに基づいて、画像の高周波成分を抽出したコントラスト値を求める。読出制御部１ｃは、撮像部２の撮像素子の各画素から画像信号を読み出す際の制御を行う。読出制御としては、例えば、各画素の画像信号を読み出す以外にも、複数の画素をブロック化し、ブロック単位で画像信号を加算処理の読み出す等も行う。前述のコントラスト検出部１ｂは、読出制御部１ｃによって読み出された画像信号（画像データ）に基づいて、コントラスト値を求める。レンズ制御部１ｄは、交換レンズ鏡筒２０内の撮影レンズ２１のピント合わせを行うために通信部１４、２２を介して制御部２３に対してレンズ制御信号を出力する。
【００２４】
記録部４は、カメラ本体に脱着自在な記録媒体、若しくは内蔵の記録媒体から構成される。記録部４には、撮像部２から出力され、信号処理及び制御部１によって画像処理された静止画や動画の画像データや音声データ、およびこれらのデータに付随するデータが記録される。
【００２５】
加速度検出部５は、カメラ本体の内部に配置された複数の加速度センサとそのドライバ等から構成され、カメラの姿勢やカメラに加えられた振動を検出する。カメラ本体１０に加えられた微小な加速度も検出可能である。加速度検出部５の検出結果は、画像処理及び制御部１に出力され、除振動作に用いられる。また、加速度検出部５の検出結果は、後述するように、交換レンズ鏡筒２０のフォーカスリング操作時における動作状態の検出にも用いられる。
【００２６】
操作判定部６は、カメラ本体１０の外装に配置された静止画レリーズ釦、動画レリーズ釦、電源釦、再生釦、メニュー釦等の各種操作部材を有し、この操作部材の操作状態を判定し、この判定結果を信号処理及び制御部１に出力する。音声収録部７は、内蔵マイク、音声処理回路、スピーカ等を有し、動画撮影時等において、主としてカメラ前方の音声を集音し、画像データと共に記録するために音声処理を行う。ここで処理された音声データは記録部４に記録される。また、動画の再生時には、併せて音声データの再生をスピーカによって行う。
【００２７】
表示部８は、信号処理及び制御部１に接続されており、本体の背面等に配置された液晶や有機ＥＬ等のモニタを有し、ライブビュー表示や、撮影時のレックビュー表示や、記録部４に記録されている記録画像の表示や、メニュー画面等の制御画面を表示する。タッチパネル８ｂは、液晶モニタや有機ＥＬモニタ等の前面に配置または内部に一体化され、ユーザが表示部８の表示面をタッチした位置を検知し、信号処理及び制御部１にタッチ位置の情報を送信する。時計部９は、計時機能を有し、また日時情報を出力する。撮影時には、この日時情報が画像データと共に記録部４の記録媒体に記録される。
【００２８】
通信部１２は、ＥＶＦ３０内の通信部３２と接続端子を介して接続し、双方向で通信を行う。特に、ＥＶＦ３０に対しては、ライブビュー表示用の画像データ等を送信する。通信方式としては、無線通信でも赤外線通信でも勿論かまわないが、本実施形態においては有線通信で行う。通信部１４は、交換レンズ鏡筒２０内の通信部２２と接続端子を介して接続し、交換レンズ鏡筒２０内の制御部２３と通信を行う。例えば、カメラ本体１０側から撮影レンズ２１の駆動制御信号を送信し、交換レンズ鏡筒２０側からピント操作部２６の回動量情報や、撮影レンズ２１のピント位置や焦点距離に関する情報等が送信される。
【００２９】
交換レンズ鏡筒２０は、撮影レンズ２１、通信部２２、制御部２３、ピント操作部２６、ズーム操作部２７から構成される。制御部２３は、ＣＰＵ（Central Processing Unit：中央処理装置）およびその周辺のハードウエア回路によって構成され、不図示の記憶部に記憶されているプログラムに従って交換レンズ鏡筒２０内のシーケンスを制御する。制御にあたっては、カメラ本体１０内の信号処理及び制御部１からの制御信号に従って行う。通信部２２は、前述したように、カメラ本体１０内の通信部１４と通信を行う。
【００３０】
撮影レンズ２１は、被写体光束を集光し、撮像部２内の撮像素子上に被写体像を結像する。撮影レンズ２１の光軸上には、図示しない絞り調節機構が配置され、被写体光量の制御を行う。また、撮影レンズ２１は、ズームレンズ等によって構成され、図示しない電動のピント調節機構によって焦点調節がなされ、図示しない電動ズーム調節機構によって焦点距離の変更がなされる。
【００３１】
ピント操作部２６は、交換レンズ鏡筒２０の外装に設けられたフォーカスリングを有し、ピント調節機構を介して撮影レンズ２１のピント位置を調節する。マニュアルフォーカスモードが設定されている場合には、ピント位置の調節にあたっては、フォーカスリングの回動に応じてピント回動信号が出力され、制御部２３はこの回動信号に応じて、ピント調節機構のモータを駆動する。なお、フォーカスリングの回動に応じて、機械的に撮影レンズ２１のピント位置を移動させるようにしてもよい。また、フォーカスリングの回動量と回転方向を示すピント回動信号は、前述したように、通信部２２、１４を通じて、カメラ本体１０内の信号処理及び制御部１に送信される。
【００３２】
ズーム操作部２７は、交換レンズ鏡筒２０の外装に設けられたズーム環を有し、ズーム調節機構を介して撮影レンズ２１の焦点距離を調節する。焦点距離の調節にあたっては、ズーム環の回動に応じてズーム回動信号が出力され、制御部２３はこの回動信号に応じて、ズーム調節機構のモータを駆動する。なお、フォーカスリングの回動に応じて、機械的に撮影レンズ２１の焦点距離を変更させるようにしてもよい。
【００３３】
ＥＶＦ３０は、表示部３１および通信部３２を有する。カメラ本体１０において被写体像の観察は液晶パネル等を有する表示部８のみが可能であり、接眼部を覗いて被写体像を観察することができない。それに対して、ＥＶＦ３０は接眼部３０ａ（図２参照）を覗いて被写体像を観察することが可能である。表示部４１は、被写体像を表示するために液晶や有機ＥＬ等で構成されたモニタであり、このモニタに表示される画像は接眼部３０ａを通して観察することができる。通信部４２は、カメラ本体１０の通信部１２と通信を行い、信号処理及び制御部１からライブビュー表示用の画像データ等を受信し、またＥＶＦ３０の状態を示す信号を送信する。
【００３４】
次に、図２を用いて、本実施形態におけるカメラの外観を説明する。カメラ本体１０の正面には、交換レンズ鏡筒２０が脱着可能で取り付けられており、また、カメラ本体１０の上部には、ＥＶＦ３０を取り付けるための通信接続部１２ｂが設けられている。通信接続部１２ｂは、ＥＶＦ３０の脚部３０ｂを装着可能であると共に、脚部３０ｂの装着時には、通信部１２と通信部３２の通信路を形成するための通信端子が設けてある。ＥＶＦ３０の筒状部内には、表示部３１が配置されており、背面側には撮影者が電子ビューファインダで被写体像を観察するための接眼部３０ａが設けられている。
【００３５】
このように構成されている本実施形態におけるカメラの使用について、図３を用いて説明する。図３（ａ）は静止画を撮影している様子を示し、図３（ｂ）は動画を撮影している様子を示している。静止画撮影時には、撮影者４１は手振れの影響を軽減するために、カメラ本体１０を顔の近くに持ってきて、ＥＶＦ３０の接眼部３０ａを覗きながら、電子ビューファインダで被写体像を観察し、構図を決定する。
【００３６】
また、動画撮影時には、被写体も動いていることが多いことから、静止画撮影の場合ほど手振れの影響を軽減する必要がなく、図３（ｂ）に示すように、カメラ本体１０を手で保持しながら、カメラ本体１０の表示部８の背面モニタを観察しながら動画撮影を行うことができる。
【００３７】
次に、本実施形態におけるオートフォーカスについて、図４ないし図７を用いて説明する。本実施形態においては、撮像素子の各画素からの画像信号に基づくコントラスト値がピークとなるように、撮影レンズ２１の位置を制御するコントラスト法によってオートフォーカスを実行している。図４（ａ）は撮像部２の撮像素子２ａを示しており、撮像素子２ａは多数の画素から構成されており、図４（ｂ）にその一部分の拡大図を示す。図４（ｂ）において、各画素はそれぞれ１つのフォトダイオードを有し、受光量に応じた光電流を発生する。
【００３８】
撮像素子２ａは極めて多数の画素から構成されており、各画素を独立に扱うと通信や演算に負担が掛かることから、図４（ｃ）に示すように、複数画素（図４（ｃ）では４画素）をまとめて１ブロックとし（図４（ｄ）参照）、ブロックごとに画素加算処理を行う。図４（ｅ）は、図４（ａ）の一部分に対応し、図４（ｂ）に対応するエリアをブロックで分割した様子を示す。このエリアは、図４（ｆ）に示すように、１つの測距エリアとなる。本実施形態においては、オートフォーカスのための測距エリアは、図４（ｇ）に示すように、十字形状をなし、横に５エリア、縦３エリアで、全部で７つの測距エリアを有する。
【００３９】
図４（ｈ）は、図４（ｅ）において、横軸方向に沿った行の各ブロックの画素加算値（平均輝度）を示す。図４（ｅ）における平均輝度は、撮影レンズ２１は、図５（ａ）に示すレンズ位置２１ａにある。この状態からレンズ位置２１ｂに移動させ、再度、同じ行に沿って各ブロックの平均輝度をとると、図４（ｉ）に示すようになる。図４（ｈ）および図４（ｉ）を比較すると、図４（ｉ）の方が、各ブロックの輝度差が大きく、図４（ｉ）における撮影レンズ２１の方が、ピントがあった状態といえる。このように撮影レンズ２１の位置を移動させながら、コントラスト値を検知すると、図５（ｂ）に示すように、コントラスト値がピークとなる撮影レンズ２１の位置Ｐ１があり、この位置Ｐ１がピント位置（合焦位置）である。
【００４０】
コントラスト法では、画素信号の高周波成分、言い換えると、隣接画素信号の差分に基づいて、コントラスト値を求めているが、画素ごとに隣接画素信号の差分を累積する場合と、ブロックごとに隣接画素信号の差分を累積する方法では、ピント位置（合焦位置）が異なってしまう場合がある。図６（ａ）は画素をまとめブロック化した場合であり、図６（ｂ）は画素をまとめることなく、個々の画素のままである。
【００４１】
図６（ｃ）と（ｄ）は、図６（ａ）に示すような画素をブロック化し画素加算を行った場合に同一の出力となる場合に、図６（ｂ）に示すように、画素ごとに輝度信号をとった場合のグラフである。これは、図４（ｈ）、（ｉ）のようなデータが得られる場合を、さらに細かく輝度分布を見た場合を示す。図６（ｃ）（ｄ）の破線の丸で囲んだ部分から分かるように、各画素を独立にみると、（ｃ）の方が、コントラストが高く、画素をブロック化し画素加算を行っただけでは、被写体の細かい部分に対しては精度よく合焦位置に導くことができない。
【００４２】
したがって、画素加算を行うことなく、コントラスト変化をとると、図７に示すように、合焦位置（ピント位置）が異なる場合がある。図７において、太線は画素をブロック化し画素加算した信号に基づくコントラスト値であり、ピント位置Ｐ２でピークとなっている。一方、細線は画素をブロック化することなく、そのままの信号に基づくコントラスト値であり、ピント位置Ｐ３でピークとなっている。このように、画素をブロック化し画素加算を行うか、画素加算を行わずにそのままの信号を使用するかによって、ピント位置Ｐ２、Ｐ３が異なっている。
【００４３】
次に、本実施形態における測距エリアの変更について、図８を用いて説明する。上述したように、画素をブロック化し画素加算を行うと測距精度は低下するが、合焦速度を向上させ演算負荷を軽減することができる。一方、画素をブロック化することなく、そのままの画素の信号を使用すると測距精度は高くなるが、合焦速度は低下し演算負荷を重くしてしまう。そこで、本実施形態においては、画面全体をくまなく見て、合焦速度を優先するオートフォーカスと、合焦速度を優先させながら、細部にこだわったピント合わせを行うことを可能にするオートフォーカスを採用している。
【００４４】
図８（ａ）は、撮像部２によって撮像された被写体像を示す。コントラスト検出部１ｂは、測距エリア４３ａ〜４３ｇについてそれぞれコントラスト値を求め、所定の演算に従って、被写体の存在する測距エリア（図８（ａ）では測距エリア４３ｇ）を決定する。レンズ制御部１ｄは、測距エリア４３ｇの被写体に対して、ピントが合うように合焦制御を行う。なお、測距エリア４３ａ〜４３ｇにおいてコントラスト値を求めるにあたっては、前述したように、画素をブロック化し、画素加算した信号を用いて行う。これによって、各測距エリアで高速でコントラスト値を求めることができる。
【００４５】
測距エリア４３ｇの花にピント合わせが完了すると、本実施形態においては、図８（ｂ）に示すように、測距エリア４３ｇの被写体について拡大表示部４４として表示する。この拡大表示部４４の表示にあたっては、拡大測距部分４４ａ〜４４ｄに４分割して表示を行い、デフォルト値として、右上の拡大測距部分４４ｂを選択表示する（図８（ｂ）では太枠線で表示）。この状態で、ピント操作部２６のフォーカスリングを一方向（例えば、図８（ｅ）に示すように撮影者側からみて時計回り）に回動させると、選択される拡大測距部分４４ａ〜４４ｄが、図８（ｃ）に示すように、順次、移動していく。すなわち、フォーカスリングの回動に合わせて、拡大測距部分４４ｂ→４４ｃ→４４ｄ→４４ａ→４４ｂと移っていく。撮影者が更にピント合わせを行いたい測距エリアを選択するには、選択した拡大測距部分において所定時間の間（例えば、数フレームのライブビュー表示を行う程度の時間）、フォーカスリングの回動を停止すればよい。
【００４６】
次に、拡大測距部分のいずれかが選択され、その拡大測距部分についてピント合わせが完了すると、その部分が図８（ｄ）に示すように、更に拡大されて拡大表示部４５として表示される。この拡大表示部４５は、拡大測距部分４５ａ〜４５ｄに４分割して表示され、ピント操作部２６のフォーカスリングを一方向に回動させると、選択される拡大測距部分４５ａ〜４５ｄが、拡大測距部分４４ａ〜４４ｄの場合と同様に、順次、移動する。また、フォーカスリングを他方向に回動させると、拡大測距部分４５ａ〜４５ｄの移動方向が、一方向に回動させた場合の逆方向になる。
【００４７】
このように、オートフォーカス時に、ピントが合うと、ピントの合った測距エリアが拡大表示される。この拡大表示された測距エリアは分割表示され、フォーカスリングを回動させることにより、分割された複数の測距エリアの中から１つの測距エリアを選択することができる。拡大測距部分の中から順次測距エリアを選択することによって、測距エリアの絞り込みができる。また、この測距エリアの絞り込みに応じて、ブロック化する画素の数を減らしていくことにより、コントラスト値演算の負荷を増すことなく、迅速に測距精度を向上させることができる。
【００４８】
なお、本実施形態においては、フォーカスリングを回動することにより、測距エリアの絞り込みを行ったが、選択された測距エリアで所定時間の間、何にもしないでいると、測距エリアを元に戻すようにする。すなわち、今、図８（ｄ）に示すように、拡大測距表示４５が表示されている状態で、何もしないでいると、図８（ｂ）（ｃ）に示すような拡大測距表示４４に戻る。
【００４９】
本実施形態においては、拡大測距部分は２階層となっていたが、３階層以上でもよいことは勿論である。また、本実施形態においては、測距エリアや拡大表示部の分割は、４分割にしていたが、２分割、３分割、または５分割以上であってもよい。図９（ａ）（ｂ）は５分割の例を示す図である。この例では、拡大測距部分４４ａ〜４４ｄの真ん中に拡大測距部分４４ｅを更に設け、５分割としている。４分割の場合と同様に、フォーカスリングを一方向に回動させると、拡大測距部分４４ｂ（図９（ａ）参照）から拡大測距部分４４ｃ（図９（ｂ）参照）に移動する。この後、拡大測距部分４４ｄ→４４ａと順次移動し、拡大測距部分４４ａ→４４ｅに移動し、その後、拡大測距部分４４ｂに戻る。
【００５０】
次に、本実施形態における動作を図１０および図１１に示すフローチャートを用いて説明する。このフローチャートは、カメラ本体１０の不図示の記憶部に記憶されているプログラムに従って信号処理及び制御部１が実行する。
【００５１】
電源釦が操作され、電源がオンとなり、図１０に示すカメラ制御のフローに入ると、まず、撮影モードか否かの判定を行う（Ｓ１）。このカメラ本体１０は撮影モードと再生モードを有しており、このステップでは、再生モードでなければ、撮影モードと判定する。この判定の結果、撮影モードであった場合には、次に、ＥＶＦ３０が接続されているか否かの判定を行う（Ｓ２）。ここでは、通信部１２を介して、ＥＶＦ３０の通信部３２と通信を行い、通信が成立すれば、ＥＶＦ３０が装着されていると判定する。
【００５２】
ステップＳ２における判定の結果、ＥＶＦ３０が装着されていない場合には、次に、背面にライブビュー表示を行う（Ｓ３）。ＥＶＦ３０が装着されていないことから、カメラ本体１０の背面の表示部８のモニタに、撮像部２からの画像データに基づいてライブビュー表示を行う。続いて、ＡＦを開始する（Ｓ４）。本実施形態におけるオートフォーカスは、前述したようにコントラスト法によって行われており、撮像部２からの画像データに基づいて、コントラスト検出部１ｂはコントラスト値を求め、このコントラスト値に基づいてレンズ制御部１ｄは、撮影レンズ２１がピント位置になるように合焦駆動制御を行う。
【００５３】
ＡＦを開始すると、次に、撮影か否かの判定を行う（Ｓ５）。このカメラ本体１０では、動画レリーズ釦が操作されると、動画の記録を開始し、再度、動画レリーズ釦が操作されると、動画の記録を終了するので、このステップでは、動画レリーズ釦が操作されたか否かを判定する。この判定の結果、撮影であった場合には、動画撮影を開始する（Ｓ６）。ここでは、撮像部２から画像データを取得する。
【００５４】
ステップＳ６において動画撮影を開始すると、またはステップＳ５における判定の結果、撮影でなかった場合には、次に、画像のファイル化を行う（Ｓ７）。ここでは、ステップＳ６において動画を開始し、取得した動画の画像データを信号処理及び制御部１によって画像処理を行い記録用に画像ファイルにし、この画像ファイルを記録部４に記録する。
【００５５】
続いて、電源オフか否かの判定を行う（Ｓ８）。ここでは、電源釦の操作状態を操作判定部６によって検知し、この検知結果に基づいて判定する。この判定の結果、電源オフでなかった場合には、ステップＳ１に戻る。一方、判定の結果、電源オフであった場合には、電源オフ処理を行った後、カメラ制御のフローを終了する。
【００５６】
ステップＳ１における判定の結果、撮影モードでなかった場合には、次に、再生モードか否かの判定を行う（Ｓ１１）。再生釦を操作すると再生モードに切り換わることから、このステップでは、再生釦の状態を判定する。この判定の結果、再生でなかった場合には、ステップＳ１に戻る。
【００５７】
ステップＳ１１における判定の結果、再生モードであった場合には、次にファイル一覧を表示する（Ｓ１２）。ここでは、動画の画像データの場合には動画の最初の画像のサムネイル画像を、また静止画の場合には縮小サイズにしたサムネイル画像を表示する。続いて、ファイル選択がなされたか否かの判定を行う（Ｓ１３）。ここでは、ファイル一覧に表示された動画の中から、ユーザが画像ファイルを選択したか否かを判定する。
【００５８】
ステップＳ１３における判定の結果、ファイルが選択されていた場合には、選択ファイルの再生を行う（Ｓ１４）。ここでは、動画撮影の際に音声収録部７によって録音されていた場合には、カメラ本体１０の撮像部２で取得した画像と音声収録部７で取得した音声とを連携して再生を行う。また、静止画の場合には選択された静止画を拡大表示する。選択ファイルの再生を行うと、ステップＳ１１に戻り、再生モードを続行する。
【００５９】
一方、ステップＳ１３における判定の結果、ファイルが選択されていなかった場合には、再生を終了するか否かの判定を行う（Ｓ１５）。再生釦が再度、操作されると、再生モードを終了することから、このステップでは、再生釦が再度、操作されたか否かを判定する。この判定の結果、終了でなかった場合には、ステップＳ１２に戻り、再生を続行する。一方、ステップＳ１５における判定の結果、終了であった場合には、前述のステップＳ８に進み電源オフか否かの判定を行い、電源オフであった場合には、カメラ制御のフローを終了する。
【００６０】
次に、ステップＳ２における判定の結果、ＥＶＦ３０が接続されていた場合には、ＥＶＦ３０にライブビュー表示を行う（Ｓ２１、図１１参照）。ここでは、撮像部２によって取得し、信号処理及び制御部１によって画像処理された画像データを、通信部１２を介して、ＥＶＦ３０の通信部３２に送信し、ＥＶＦ３０は受信した画像データに基づいて、表示部３１にライブビュー表示を行う。撮影者４１は、図３（ａ）に示すように、接眼部３０ａ覗くことにより、ライブビュー表示を観察することができる。
【００６１】
ＥＶＦ３０にライブビュー表示を行うと、次に、オートフォーカス（ＡＦ）モードか否かの判定を行う（Ｓ２２）。このカメラ本体１０では、焦点調節のモードとしては、マニュアルフォーカス（ＭＦ）とオートフォーカス（ＭＦ）のモードがあり、メニュー画面等において、設定することができる。このステップＳ２２においては、メニュー画面等において、オートフォーカスモードが設定されたか否かを判定する。
【００６２】
ステップＳ２２における判定の結果、オートフォーカスモードが設定されていた場合には、次に、操作判定部６によって静止画レリーズ釦が半押しされたか否かを判定する（Ｓ２３）。この判定の結果、半押しされていなかった場合には、ステップＳ１に戻る。
【００６３】
一方、ステップＳ２３における判定の結果、半押しされていた場合には、オートフォーカスを行い、選択エリアの表示を行う（Ｓ２４）。前述したように、オートフォーカスは撮影レンズ２１を移動させながら、各測距エリアでコントラスト値の変化を検出し、最至近の被写体があるエリア等、複数の測距エリアの内のいずれかを測距エリアとして選択する。図８（ａ）に示した例では、７つの測距エリアがあり、このうち、測距エリア４３ｇが選択されている。選択された測距エリアは、枠線を示す等、表示部８で視認できるような表示を行う。
【００６４】
続いて、フォーカスリングが操作されたか否かの判定を行う（Ｓ２５）。ピント操作部２６のフォーカスリングは、オートフォーカス時であっても、撮影者によって回動操作がなされると、回動信号が通信部２２、１４を通じてカメラ本体１０に送信される。そこで、このステップでは、回動信号に基づいて、フォーカスリングが操作されているか否かの判定を行う。
【００６５】
ステップＳ２５における判定の結果、フォーカスリングが操作されていた場合には、次に、選択エリアの拡大表示を行い、かつ拡大表示を分割し、フォーカスリングの操作方向に応じて選択エリアの切り換えを行う（Ｓ２６）。このステップでは、まず、合焦した測距エリアの被写体像を、図８（ｂ）に示すように拡大表示し、かつ分割表示する。図８（ｂ）の例では、拡大測距部分４４ａ〜４４ｄに４分割表示している。さらに、フォーカスリングが操作されたか否かを判定し、操作されていた場合に操作方向に応じて、選択測距エリアを、順次、移動させ、測距エリアを選択する。
【００６６】
続いて、微小振動があるか否かの判定を行う（Ｓ２７）。このステップでは、加速度検出部５によってカメラ本体１０に微小な加速度、すなわち振動が加えられているか否かを検出する。この検出の結果、微小振動がある場合には、測距エリアを選択中であることから、ステップＳ２６に戻る。ステップＳ２６に戻り、ステップＳ２６においてフォーカスリングを回しながら、測距エリアの選択を行う。
【００６７】
一方、ステップＳ２７における判定の結果、微小振動がなければ、ステップＳ２６において選択された測距エリアにおいて、オートフォーカスを行う（Ｓ２８）。撮影者は、フォーカスリングを回しながら、撮影者がピントを合わせたいと意図する被写体部分を選択し、被写体部分が決まるとその位置でじっと待つことから微小振動がなくなる。そこで、ステップＳ２７において微小振動がなくなると、選択された測距エリアについて、オートフォーカスを行う。ここでのオートフォーカスは、選択された測距エリアに対応する画素の画像信号を読出制御部１ｃによって読出し、この読み出された画像信号に基づいてコントラスト値を求め、コントラスト値がピークとなるように、撮影レンズ２１のピント位置の制御を行う。
【００６８】
選択エリアでオートフォーカスを行うと、またはステップＳ２５における判定の結果、フォーカスリングが操作されていなかった場合には、次に、撮影を行うか否かの判定を行う（Ｓ２９）。このステップでは、静止画レリーズ釦が半押しから更に押し込まれて全押しされたか否かの判定を行う（Ｓ２９）。この判定の結果、撮影であった場合には、静止画撮影を行う（Ｓ４５）。ここでは、静止画レリーズ釦が全押しされたタイミングで、撮像部２の撮像素子から画像データを取得する。画像データを取得すると、ステップＳ７に進み、画像ファイル化し、記録部４に記録する。
【００６９】
一方、ステップＳ２９における判定の結果、撮影でなかった場合には、次に、所定時間が経過したか否かを判定する（Ｓ３１）。ここでは、ステップＳ２４またはＳ２８において行ったオートフォーカスによって合焦完了した時点から、計時部９によって計時を行い、所定時間が経過したか否かを判定する。図８（ｂ）（ｃ）に示すように測距エリア４３ｇの被写体に対して拡大表示するが、所定時間経過すると、図８（ａ）に示すように、元の表示状態に戻る。そのため、所定時間としては、拡大表示の解除までの時間が、撮影者にとって違和感のない程度の時間であればよい。
【００７０】
ステップＳ３１における判定の結果、所定時間が経過していなければ、ステップＳ２５に戻る。一方、判定の結果、所定時間が経過すると、拡大を終了する（Ｓ３２）。拡大終了により、元の表示状態に戻る。
【００７１】
続いて、半押しが解除されたか否かの判定を行う（Ｓ３３）。ここでは、操作判定部６によって、静止画レリーズ釦から撮影者の指等が離れ、半押しが解除されたか否かを判定する。この判定の結果、半押しが解除されていなかった場合には、ステップＳ２５に戻る。一方、判定の結果、半押しが解除された場合には、ステップＳ１に戻る。
【００７２】
ステップＳ２２における判定の結果、オートフォーカスモードでなかった場合には、マニュアルフォーカスモードであることから、次に、フォーカスリング操作がなされたか否かの判定を行う（Ｓ４１）。ここでは、フォーカスリングが操作されると、回動量に応じて回動信号が発生するので、この回動信号に基づいて判定する。
【００７３】
ステップＳ４１における判定の結果、フォーカスリングが操作されていた場合には、操作に応じてレンズ制御を行う（Ｓ４２）。ここでは、交換レンズ鏡筒２０の制御部２３が、回動信号の向きと量に応じて、撮影レンズ２１を移動させる。
【００７４】
操作に応じてレンズ制御を行うと、またはステップＳ４１における判定の結果、フォーカスリングが操作されていなかった場合には、次に、ステップＳ２９と同様に撮影か否かの判定を行う（Ｓ４３）。ここでは、操作判定部６が静止画レリーズ釦を全押ししたか否かを判定する。この判定の結果、撮影でなかった場合には、ステップＳ１に戻る。
【００７５】
ステップＳ４３における判定の結果、撮影であった場合には、次に、ステップＳ４５と同様に、静止画撮影を行う（Ｓ４４）。静止画撮影を行うと、ステップＳ７に進み、ステップＳ４４で取得した画像データをファイル化し、記録部４に記録する。
【００７６】
以上、説明したように、本発明の第１実施形態においては、撮影レンズ２１のピント合わせをオートフォーカスが完了した際に、ピント操作部２６のフォーカスリングを操作した場合には、この操作に応じて、ピント合わせを行う測距エリアを変更するようにしている。このため、フォーカスリングを操作することにより、ピントを合わせる被写体を容易に変更することができる。また、測距エリアの変更にあたっては、測距エリアを拡大し、この拡大された測距エリアを分割し、分割された測距エリアの中で更に測距エリアを選択できるようにしている。測距エリアが拡大されることにより、細かい選択が容易になる。
【００７７】
なお、本発明の第１実施形態においては、静止画撮影の際のみ、測距エリアの変更や選択を行うようにしていたが、これに限らず、動画撮影の際にも測距エリアの変更や選択を行うようにしても構わない。
【００７８】
次に、本発明の第２実施形態について図１２ないし図１７を用いて説明する。第１実施形態においては、フォーカシングリングの回動方向に応じて、拡大測距部分４３ａ〜４３ｅが、順次選択され（Ｓ２６）、所定時間の間、何もしないと拡大表示は終了するようにしていた（Ｓ３２）。これに対して、第２実施形態においては、フォーカシングリングの一方向への回動に応じて拡大し、他方向への回動に応じて、元の画像に順次戻るようにしている。
【００７９】
本実施形態の構成は、図１に示したブロック図と同様であるので、詳しい説明は省略する。第２実施形態の動作は、第１実施形態における動作を示す図１０および図１１のフローチャートを図１２以下のフローチャートに置き換えればよく、これらのフローチャートに基づいて、第２実施形態の動作を説明する。このフローチャートは、カメラ本体１０の不図示の記憶部に記憶されているプログラムに従って信号処理及び制御部１が実行する。
【００８０】
電源釦が操作され、電源がオンとなり、図１２に示すカメラ制御のフローに入ると、まず、ステップＳ１と同様に、撮影モードか否かの判定を行う（Ｓ５１）。この判定の結果、撮影モードであった場合には、次に、オートフォーカス（ＡＦ）モードが設定されており、かつ静止画レリーズ釦が押されていない状態から、半押しの状態に遷移したか否かを判定する（Ｓ５２）。第１実施形態と同様、第２実施形態においても、オートフォーカスモードはメニュー画面等によって設定するので、このステップでは、まず、オートフォーカスモードに設定されているか否かを判定する。そして、操作判定部６によって静止画レリーズ釦が半押しされていない状態から、半押しされた状態になったばかりの遷移時か否かを判定する。
【００８１】
ステップＳ５２における判定の結果、オートフォーカスモードが設定されており、かつ静止画レリーズ釦が半押しされた状態になったばかりの遷移時には、次に、オートフォーカスを行う（Ｓ５３）。ここでは、撮像部２からの画像データに基づいて、コントラスト検出部１ｂはコントラスト値を求め、このコントラスト値に基づいてレンズ制御部１ｄは、撮影レンズ２１がピント位置になるように合焦駆動制御を行う。
【００８２】
続いて、ライブビュー表示を開始する（Ｓ５４）。ここでは、撮像部２からの画像データに基づいて、被写体像を表示部８または表示部３１のいずれかにライブビュー表示する。ライブビュー表示の詳しい動作については、図１５に示すフローチャートを用いて後述する。
【００８３】
ステップＳ５１における判定の結果、撮影モードでなかった場合には、ステップＳ５６以下において、再生モードを実行する。まず、画像の選択を行う（Ｓ５６）。ここでは、表示部８または３１に画像の一覧表をサムネイル表示するので、この中からユーザが画像を選択する。続いて、選択された画像を再生する（Ｓ５７）。ここでは、記録部４から選択された画像の画像データを読出す。次に、画像表示を行う（Ｓ５８）。ここでは、ＥＶＦ３０が装着されているか否かに応じて、ＥＶＦ３０の表示部３１またはカメラ本体１０の表示部８に表示する。画像表示の詳しい動作については、図１４に示すフローチャートを用いて後述する。
【００８４】
ステップＳ５８における画像表示を行うと、またはステップＳ５４におけるライブビュー表示を行うと、次に、ステップＳ８と同様に、電源オフか否かの判定を行う（Ｓ５５）。ここでは、電源釦の操作状態を操作判定部６によって検知し、この検知結果に基づいて判定する。この判定の結果、電源オフでなかった場合には、ステップＳ１に戻る。一方、判定の結果、電源オフであった場合には、電源オフ処理を行った後、カメラ制御のフローを終了する。
【００８５】
ステップＳ５２における判定の結果、オートフォーカスモードで設定されていないか、または静止画レリーズ釦の半押しを行った遷移時でなかった場合には、次に、静止画レリーズ釦を半押し状態から全押しを行ったばかりの遷移時か否かの判定を行う（Ｓ６１）。ここでは、操作判定部６によって静止画レリーズ釦が半押しされている状態から、全押しされた状態になったばかりの遷移時か否かを判定する。
【００８６】
ステップＳ６１における判定の結果、半押しから全押しへの遷移時であった場合には、次に、静止画撮影画像処理を行う（Ｓ６２）。ここでは、静止画レリーズ釦が全押しに遷移した際の撮像部２からの画像データを取得し、この取得した画像データについて画像処理を行う。
【００８７】
続いて、レックビュー画像を作成する（Ｓ６３）。ここでは、撮影後の所定時間の間、表示部８または３１に表示するためのレックビュー画像を、信号処理及び制御部１によって作成する。レックビュー画像を作成すると、次に、ステップＳ５８と同様に画像表示を行う（Ｓ６４）。この画像表示の詳しい動作は、図１４に示すフローチャートを用いて後述する。画像表示を行うと、次に、記録を行う（Ｓ６５）。ここでは、ステップＳ６２において取得した静止画の画像データを記録用に画像処理した後に、記録部４に記録する。
【００８８】
ステップＳ６１における判定の結果、半押しから全押しへの遷移時でなかった場合には、次に、オートフォーカス（ＡＦ）モードであって、かつ静止画レリーズ釦が半押し状態が維持されたままであるか否かの判定を行う（Ｓ７１）。ここでは、メニュー画面でオートフォーカスモードが設定されており、かつ操作判定部６によって静止画レリーズ釦が半押し状態のままであるか否かの判定を行う。
【００８９】
ステップＳ７１における判定の結果、オートフォーカスモードであって、かつ静止画レリーズ釦が半押し状態が維持されたままであった場合には、次に、測距エリア分割選択を行う（Ｓ７２）。ここでは、フォーカスリングの移動方向および移動量を検知し、この検知結果に基づいて、測距エリアを分割し、また選択を行う。この測距エリア分割選択のサブルーチンの詳しい動作については図１６を用いて後述する。
【００９０】
測距エリア分割選択を行うと、次に、戻り値が１であるか否かを判定する（Ｓ７３）。ステップＳ７２内の測距エリア分割選択のサブルーチンにおいて、測距エリアの分割や選択に伴ってライブビュー表示領域の変更が必要か否かを判定し、ライブビュー表示領域の変更が必要な場合には、戻り値に１が設定される。このステップＳ７３においては、この戻り値に１が設定されているか否かを判定する。
【００９１】
ステップＳ７３における判定の結果、戻り値に１が設定されていた場合には、ライブビュー表示領域の変更を行う（Ｓ７４）。例えば、図８（ｃ）の状態から図８（ｄ）に示すように、拡大測距部分を更に拡大表示する際には、ライブビュー表示の際の表示領域を変更する必要がある。このステップＳ７４においては、このような場合には画像データの切り出し領域を変更することにより表示領域を変更する。
【００９２】
ステップＳ７４におけるライブビュー表示領域の変更を行うと、またはステップＳ７３における判定の結果、戻り値が１でなかった場合には、次に、ステップＳ５４と同様に、ライブビュー表示を行う（Ｓ７５）。このライブビュー表示の詳しい動作については、図１５に示すフローチャートを用いて後述する。
【００９３】
ステップＳ７１における判定の結果、オートフォーカスモードであって、かつ静止画レリーズ釦が半押し状態が維持されたままでなかった場合には、次に、マニュアルフォーカス（ＭＦ）モードであるか否かの判定を行う（Ｓ８１）。ここでは、メニュー画面によってマニュアルフォーカスモードが設定されたか否かの判定を行う。
【００９４】
ステップＳ８１における判定の結果、マニュアルフォーカスモードが設定されていた場合には、次に、フォーカスリングの移動量に応じたピント移動を行う（Ｓ８２）。ここでは、交換レンズ鏡筒２０内の制御部２３が、フォーカスリングの回動に応じて発生する回動量信号の回動方向と回動量に応じて、撮影レンズ２１のピント位置を移動させる。
【００９５】
ステップＳ８２におけるマニュアルフォーカスを行うと、またはステップＳ８１における判定の結果、マニュアルフォーカスモードが設定されていなかった場合には、次に、ステップＳ５４と同様に、ライブビュー表示を行う（Ｓ８３）。このライブビュー表示の詳しい動作は、図１５に示すフローチャートを用いて後述する。
【００９６】
ステップＳ６５、Ｓ７５、Ｓ８３のいずれかを実行すると、ステップＳ５５に進み、電源オフか否かを判定し、電源オフなかった場合には、ステップＳ５１に戻り、一方、電源オフであった場合には、電源オフ処理を行った後、カメラ制御のフローを終了する。
【００９７】
次に、ステップＳ５８、Ｓ６４における画像表示の動作を図１４に示すフローチャートを用いて説明する。この画像表示のフローは、ＥＶＦ３０の表示部３１およびカメラ本体１０の表示部８のいずれに画像表示を行うかを決定するためのフローである。
【００９８】
画像表示のフローに入ると、まず、ステップＳ２と同様、ＥＶＦ３０が接続しているか否かの判定を行う（Ｓ９１）。ここでは、通信部１２を介して、ＥＶＦ３０の通信部３２と通信を行い、通信が成立すれば、ＥＶＦ３０が装着されていると判定する。
【００９９】
ステップＳ９１における判定の結果、ＥＶＦ３０が接続していた場合には、ＥＶＦ３０に画像表示を行う（Ｓ９２）。ここでは、ＥＶＦ３０に画像表示を行い、カメラ本体１０の表示部８に画像表示を行わない。なお、ＥＶＦ３０に画像表示を行うために、カメラ本体１０の通信部１２からＥＶＦ３０の通信部３２を通じて、画像データを送信する。
【０１００】
ステップＳ９１における判定の結果、ＥＶＦ３０が接続していなかった場合には、次に、カメラ本体１０の表示部８の表示モニタに表示を行う（Ｓ９３）。ＥＶＦ３０が装着されていないことから、カメラ本体１０で表示を行う。ステップＳ９２またはＳ９３における表示を行うと、元のフローに戻る。
【０１０１】
次に、ステップＳ５４、Ｓ７５、Ｓ８３におけるライブビュー表示の動作を図１５に示すフローチャートを用いて説明する。このライブビュー表示のフローは、ＥＶＦ３０の表示部３１またはカメラ本体１０の表示部８においてライブビュー表示を行うためのフローである。
【０１０２】
ライブビュー表示のフローに入ると、まず、ライブビュー撮影と画像処理を行う（Ｓ１０１）。ここでは、撮像部２において、ライブビュー表示用の撮影を行い、このときの撮像素子からの画像データの画像処理を行う。ライブビュー撮影と画像処理を行うと、次に、表示領域に合わせて画像データの切り出しを行い、リサイズを行う（Ｓ１０２）。測距エリアが変更された場合には、ステップＳ７４においてライブビュー表示領域が変更されている。表示領域が変更されていれば、変更にしたがって、信号処理及び制御部１は、表示領域の切り出し領域を変更する。
【０１０３】
表示領域の切出しとリサイズを行うと、次に、画像表示を行う（Ｓ１０３）。ここでは、ステップＳ１０１、Ｓ１０２において処理された画像データに基づいて画像表示を行う。ここでの画像表示のサブルーチンは、図１４に示すフローチャートを用いて説明した。画像表示を行うと、元のフローに戻る。
【０１０４】
次に、ステップＳ７２における測距エリア分割選択の動作を図１６に示すフローチャートを用いて説明する。この測距エリア分割選択のフローは、フォーカスリングの回動方向や回動量に応じて、測距エリアを変更するためのフローである。本フローにおいては、フォーカスリングを右回動させると、測距エリアを分割していき、左回動させると測距エリアを統合していく。
【０１０５】
測距エリア分割選択のフローに入ると、まず、フォーカシングリングが右回動か否かの判定を行う（Ｓ１１１）。ここでは、フォーカシングリングの回動に伴って発生する回動信号に基づいて、回動方向が右回動（時計方向）か否かを判定する。この判定の結果、フォーカスリングが右回動であった場合には、次に、オートフォーカス直後であるか否かの判定を行う（Ｓ１１２）。本実施形態においては、フォーカスリングの右回動を行うたびに測距エリアを分割するが、フォーカスリングを回動するたびに常時測距エリアを分割するのでは、分割した測距エリアのいずれかを選択することができない。そこで、オートフォーカスの完了後、１回だけ、測距エリアの分割を行うようにしている。
【０１０６】
ステップＳ１１２における判定の結果、オートフォーカス直後であった場合には、次に、測距エリアの分割を行う（Ｓ１１３）。ここでは、例えば、図８（ａ）の測距エリアを図８（ｂ）に示すように４分割し、また、図８（ｄ）に示すように、さらに４分割を行う。
【０１０７】
測距エリアの分割を行うと、次に、サブルーチン戻り値として１を設定する（Ｓ１１４）。ステップＳ７３（図１３参照）において説明したように、測距エリアが分割され、その領域に変更があると、ライブビュー表示する際の表示領域が変更される。ステップＳ１１３において、測距エリアの分割を行うと、表示領域が変更されることから、戻り値として１を設定する。
【０１０８】
ステップＳ１１２における判定の結果、オートフォーカス直後でなかった場合には、次に、領域選択の変更を行う（Ｓ１１５）。ここでは、フォーカスリングの回動操作により、複数の測距エリアを順次変更していく。図８（ｂ）（ｃ）に示した例では、フォーカスリングの回動に合わせて、拡大測距部分４４ｂ→４４ｃ→４４ｄ→４４ａ→４４ｂと移動させていく。
【０１０９】
領域選択変更を行うと、次に、サブルーチン戻り値として０を設定する（Ｓ１１８）。ステップＳ１１５においては、表示領域の変更は行われていないことから、戻り値として０を設定する。
【０１１０】
ステップＳ１１１における判定の結果、フォーカスリングが右回動でなかった場合には、次に、フォーカスリングが左回動であるか否かの判定を行う（Ｓ１２１）。ここでは、フォーカシングリングの回動に伴って発生する回動信号に基づいて、回動方向が左回動（反時計方向）か否かを判定する。
【０１１１】
ステップＳ１２１における判定の結果、フォーカスリングが左回動であった場合には、次に、測距エリア領域を統合し１階層大きく変更する（Ｓ１２３）。フォーカスリングが右回動であった場合には測距エリアを分割し絞り込んでいくが、左回動の場合には逆に測距エリアの範囲を統合し広げていく。図８に示す例では、図８（ｄ）が表示されている状態で、左回動がなされると、拡大測距部分４５ａ〜４５ｄが統合され、図８（ｃ）（ｂ）に示す拡大測距部分４４ｃとなることに相当する。
【０１１２】
測距エリアを統合し１階層大きく変更すると、次に、ステップＳ１１４と同様に、サブルーチン戻り値を１に設定する（Ｓ１２４）。ステップＳ１２３において、測距エリアの統合を行うと、表示領域が変更されることから、戻り値として１を設定する。
【０１１３】
ステップＳ１２１における判定の結果、フォーカスリングが左回動でなかった場合には、次に、一定時間以上、フォーカスリングの操作がなかったか否かの判定を行う（Ｓ１２６）。ステップＳ１１５において、測距エリアの変更がなされ、その変更時点から一定時間以上、フォーカスリングが操作されなかったか否かを判定する。
【０１１４】
ステップＳ１２６における判定の結果、一定時間以上、フォーカスリングの操作がなされていなかった場合には、次にオートフォーカス（ＡＦ）を行う（Ｓ１２７）。ここでは、ステップＳ１１５で変更した測距エリアを確定し、その測距エリアに対応する画像データを用いて、オートフォーカスを行う。
【０１１５】
ステップＳ１２７におけるオートフォーカスを行うと、またはステップＳ１２６における判定の結果、一定時間内にフォーカスリングの操作が有った場合には、次に、サブルーチン戻り値を０に設定する（Ｓ１２８）。これらの場合には、表示領域の変更は行われていないことから、戻り値として０を設定する。
【０１１６】
ステップＳ１１４、Ｓ１１８、Ｓ１２４、Ｓ１２８において、それぞれ戻り値を設定すると、元のフローに戻る。
【０１１７】
以上、説明したように、本発明の第２実施形態においても、撮影レンズ２１のピント合わせをオートフォーカスで行っている際に、ピント操作部２６のフォーカスリングを操作した場合には、この操作に応じて、ピント合わせを行う測距エリアを変更するようにしている。このため、フォーカスリングを操作することにより、ピントを合わせる被写体を容易に変更することができる。
【０１１８】
また、第２実施形態においては、フォーカスリングを一方向に回動させることによって測距エリアを分割し絞りこんでいき、フォーカスリングを他方向に回動させることによって測距エリアを統合し広げるようにしている。このため、測距エリアの範囲を広げたり、狭めたりすることが簡単にできる。
【０１１９】
次に、測距エリア分割選択の変形例について、図１７に示すフローチャートを用いて説明する。第２実施形態における測距エリア分割選択のフローは、オートフォーカスで撮影レンズ２１が合焦位置に駆動された後、１回だけ測距エリアを分割していた。しかし、本変形例においては、オートフォーカス完了直後のみならず、フォーカスリングをスレッシュ以上の速度で回動させた場合には、測距エリアの分割または統合を行うようにしている。本変形例におけるフローにおいて、第２実施形態と同一の処理を行うステップについては、同一のステップ番号を付し、相違点を中心に説明する。
【０１２０】
測距エリア分割選択のフローに入ると、まず、第２実施形態と同様に、フォーカスリングが右回動か否かの判定を行い（Ｓ１１１）、この判定の結果、右回動が行われていた場合には、次に、オートフォーカス直後か否かの判定を行う（Ｓ１１２）。この判定の結果、オートフォーカス直後であった場合には、第２実施形態と同様に、測距エリアを分割し（Ｓ１１３）、サブルーチン戻り値を１に設定する（Ｓ１１４）。
【０１２１】
ステップＳ１１２における判定の結果、オートフォーカス直後でなかった場合には、次に、フォーカスリングの回動速度がスレッシュ以上か否かの判定を行う（Ｓ１１６）。ここでは、フォーカスリングの回動操作に応じて発生する回動信号に基づいて、回動速度を判定する。スレッシュとしては、撮影者が通常よりも速くフォーカスリングを回動させたと感じられる程度の値であればよい。
【０１２２】
ステップＳ１１６における判定の結果、回動速度がスレッシュよりも速かった場合には、前述のステップＳ１１３に進み、さらに測距エリアを分割する。一方、判定の結果、回動速度がスレッシュよりも速くなかった場合には、ステップＳ１１５と同様に、右回りで領域選択を変更していく（Ｓ１１７）。ここでは、フォーカスリングの右回動操作により、複数の測距エリアを右回りで順次変更していく。続いて、サブルーチン戻り値を０に設定する（Ｓ１１８）。
【０１２３】
ステップＳ１１１における判定の結果、フォーカスリングが右回動でなかった場合には、次に、第２実施形態と同様に、フォーカスリングが左回動であるか否かの判定を行う（Ｓ１２１）。この判定の結果、フォーカスリングが左回動であった場合には、次に、ステップＳ１１６と同様に、フォーカスリングの回動速度がスレッシュ以上か否かの判定を行う（Ｓ１２２）。
【０１２４】
ステップＳ１２２における判定の結果、回動速度がスレッシュ以上であった場合には、次に、第２実施形態と同様に、測距エリアを統合し、１階層大きく変更し（Ｓ１２３）、そして、サブルーチンの戻り値を１に設定する。第２実施形態においては、測距エリアの統合は、オートフォーカスの完了とは関係なく常時行うことができたが、本変形例においては、フォーカスリングをスレッシュ以上の速度で回動させた場合のみである。
【０１２５】
ステップＳ１２２における判定の結果、フォーカスリングの回動速度がスレッシュ以上なかった場合には、左回りで領域選択を変更していく（Ｓ１２５）。ここでは、フォーカスリングの左回動操作により、複数の測距エリアを左回りで順次変更していく。第２実施形態においては、測距エリアの変更にあたっては、右回りしかなかったが、本変形例においては、左回りでも順次変更することが可能である。
【０１２６】
ステップＳ１２１における判定の結果、フォーカスリングが左回動でなかった場合には、次に、第２実施形態と同様に、一定時間以上、フォーカスリングの操作がなかったか否かの判定を行い（Ｓ１２６）、一定時間以上、フォーカスリングの操作がなされていなかった場合には、オートフォーカス（ＡＦ）を行う（Ｓ１２７）。
【０１２７】
ステップＳ１２７におけるオートフォーカスを行うと、またはステップＳ１２６における判定の結果、一定時間内にフォーカスリングの操作が有った場合には、または、ステップＳ１２５において、左回りで領域選択を変更した場合には、第２実施形態と同様に、次に、サブルーチン戻り値を０に設定する（Ｓ１２８）。ステップＳ１１４、Ｓ１１８、Ｓ１２４、Ｓ１２８において、それぞれ戻り値を設定すると、元のフローに戻る。
【０１２８】
以上説明したように、本発明の第２実施形態の変形例においては、オートフォーカス完了直後でなくても、フォーカスリングをスレッシュ以上の速度で右回動させると（Ｓ１１６→Ｙｅｓ）、測距エリアを分割することができる。また、測距エリアの統合はフォーカスリングをスレッシュ以上の速度で左回動させることにより行うことができる（Ｓ１２２→Ｙｅｓ）。さらに、測距エリアの選択の変更は、フォーカスリングの右回動に限らず、左回動によって行うことができる（Ｓ１２５）。このように、本変形例は、測距エリアの分割と統合にあたって、自由度が高い。
【０１２９】
以上説明したように、本発明の各実施形態や変形例においては、コントラスト検出部１ｂやレンズ制御部１ｄ等に構成される自動焦点調節部による撮影レンズ２１のピント合わせ時に、ピント操作部２６を操作した場合には、この操作に応じて、ピント合わせを行う測距エリアを変更するようにしている。このため、手動距離調節操作部材を利用し、撮影者がピントを合わせる被写体を容易に変更することができる。測距エリアの位置をピント操作部２６によって変更するだけでもよく、この場合には、測距エリアを分割することは必ずしも必要ではない。
【０１３０】
また、本発明の各実施形態や変形例においては、下記の構成が開示されている。
撮影レンズによって結像された被写体像を光電変換し、画像データを出力する撮像部と、
上記画像データに基づいて、上記撮影レンズのピント合わせを行うための自動焦点調節部と、
レンズ鏡筒に設けられた操作部と、
上記自動焦点調節部によって上記撮影レンズのピント合わせ動作の完了後、上記操作部を操作した場合には、上記ピント合わせを行う測距エリアを分割する測距エリア分割部と、
を有することを特徴とするカメラ。
具体的には、自動焦点調節部によって撮影レンズ２１のピント合わせ動作の完了後、ピント操作部２６を操作した場合には、ピント合わせを行う測距エリアを分割するようにしている。このため、手動距離調節操作部材を利用し、撮影者がピントを合わせる被写体を容易に変更することができる。特に、測距エリアが拡大して表示されることから、ピント合わせを行うエリアの選択が容易になる。
【０１３１】
なお、本発明の各実施形態や変形例においては、カメラ本体１０に交換レンズ鏡筒２０を装着するようにしていたが、これに限らず、両者を一体にするようにしても勿論かまわない。また、本発明の各実施形態や変形例においては、ピント操作部２６としてフォーカスリングを備えていたが、これに限らず、シーソーレバー等、他の操作部材であっても勿論かまわない。さらに、本発明の各実施形態や変形例において、フォーカスリングの操作によって、測距エリアの変更、分割等を行っていたが、これに限らず、ズームリングによっておこなってもよく、また、専用の操作部を設けるようにしてもかまわない。
【０１３２】
さらに、本発明の各実施形態や変形例においては、電子ビューファインダを装着自在としていたが、内蔵にしても勿論かまわない。また、測距エリアの分割や選択は、電子ビューファインダの際に行っていたが、これに限らず、表示部８の背面モニタに表示する際にも行うようにしても勿論かまわない。
【０１３３】
さらに、本発明の各実施形態や変形例においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１３４】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１３５】
１・・・信号処理及び制御部、１ｂ・・・コントラスト検出部、１ｃ・・・読出制御部、１ｄ・・・レンズ制御部、２・・・撮像部、４・・・記録部、５・・・加速度検出部、６・・・操作判定部、７・・・音声収録部、８・・・表示部、８ｂ・・・タッチパネル、９・・・時計部、１０・・・カメラ本体、１２・・・通信部、１２ｂ・・・通信接続部、１４・・・通信部、２０・・・交換レンズ鏡筒、２１・・・撮影レンズ、２１ａ・・・レンズ位置、２１ｂ・・・レンズ位置、２２・・・通信部、２３・・・制御部、２６・・・ピント操作部、２７・・・ズーム操作部、３０・・・ＥＶＦ、３０ａ・・・接眼部、３０ｂ・・・脚部、３１・・・表示部、３２・・・通信部、４１・・・撮影者、４３ａ〜４３ｇ・・・測距エリア、４４・・・拡大表示部、４４ａ〜４４ｅ・・・拡大測距部分、４５・・・拡大表示部、４５ａ〜４５ｅ・・・拡大測距部分
【図１】
0005586215.tif 000002
【図２】
0005586215.tif 000003
【図３】
0005586215.tif 000004
【図４】
0005586215.tif 000005
【図５】
0005586215.tif 000006
【図６】
0005586215.tif 000007
【図７】
0005586215.tif 000008
【図８】
0005586215.tif 000009
【図９】
0005586215.tif 000010
【図１０】
0005586215.tif 000011
【図１１】
0005586215.tif 000012
【図１２】
0005586215.tif 000013
【図１３】
0005586215.tif 000014
【図１４】
0005586215.tif 000015
【図１５】
0005586215.tif 000016
【図１６】
0005586215.tif 000017
【図１７】
0005586215.tif 000018